(57)【要約】【課題】持ち手は切欠部に枢設し、持ち手が弾性と挟持を兼ね備えた梃子として使用し、且つ使用しない時には動かして切欠部に収納し、美観を整えるヘアークリップを提供する。【解決手段】ヘアークリップは、主に一組二個で対応するユニット挟持体を含み、且つ各ユニット挟持体の間は一つの弾性部品によって結合される。各ユニット挟持体には各々持ち手が設置される。各ユニット挟持体の本体に一つの切欠部が設置され、且つ持ち手は切欠部に枢設し、持ち手が弾性と挟持を兼ね備えた梃子として使用し、使用しない時には、動かして切欠部に収納し、相対向して平らな美観を整える。【選択図】図２
0003133322.tif 000002
【実用新案登録請求の範囲】
【請求項１】
一組二個で対応するユニット挟持体を含み、且つ各ユニット挟持体の間は一つの弾性部品で結合し、更に各ユニット挟持体には一つの持ち手を設置するヘアークリップにおいて、
各ユニット挟持体の本体には一つの切欠部を設置し、更に持ち手を動かして切欠部に収納し、持ち手を弾性と挟持を兼ね備えた梃子として使用し、使用しない時には動かして切欠部に収納してなることを特徴とするヘアークリップ。
【請求項２】
前記持ち手と切欠部は、輪郭を形成することを特徴とする請求項１記載のヘアークリップ。
【請求項３】
前記切欠部は、一つの穿孔よりなることを特徴とする請求項１記載のヘアークリップ。
【請求項４】
前記切欠部は、一つの軸部材を設置し、且つ持ち手には軸部材に対応する切欠溝を設置し、切欠溝の開口内径は軸部材の外径よりやや小さく、切欠溝本体の内径は軸部材の外径よりやや大きく、軸部材を切欠溝に嵌合して切欠部と持ち手を結合することを特徴とする請求項１記載のヘアークリップ。
【請求項５】
前記持ち手は、一つのＵ字型を形成し、そのＵ字型開口両側には各々軸部材に対応する切欠溝を設置し、更に切欠溝の開口内径は軸部材の外径よりやや小さく、切欠溝本体の内径は軸部材の外径よりやや大きく、軸部材を切欠溝に嵌合して切欠部と持ち手を結合することを特徴とする請求項４記載のヘアークリップ。
【請求項６】
前記持ち手は、曲線の装飾造形を具え、且つ切欠部は輪郭を形成して対応する造形であることを特徴とする請求項１記載のヘアークリップ。
【考案の詳細な説明】
【技術分野】
【０００１】
本考案は髪を束ねるヘアークリップに関する。
【背景技術】
【０００２】
一般に髪を整えるには、主にヘアーゴム、ヘアークリップ、ヘアーバンド、かんざし、もしくはその他髪の毛を定型、束ねるのに適した器具を用いる。
【０００３】
一般に公知のヘアークリップは、主に二個一組の対応するユニット挟持体を含み、各ユニット挟持体の間は、一つの弾性部品と枢設桿によって結合される。各ユニット挟持体は円弧形状で、且つ、本体複数の分岐爪が設置されて二個のユニット挟持体の分岐爪が交錯形成し、髪の毛に対して交錯して掴む。二個のユニット挟持体の外側には、それぞれ一つの持ち手が伸び、その持ち手は、同時に梃子となり、手で力を加えることにより、形成したモーメントがユニット挟持体に対して弾性開閉を形成する。
【考案の開示】
【考案が解決しようとする課題】
【０００４】
解決しようとする問題点は、公知の技術の持ち手は、ユニット挟持体を開閉する時だけ使用するものでこのヘアークリップの美観を損ねている点である。
【課題を解決するための手段】
【０００５】
本考案は、主に一組二個で対応するユニット挟持体を含み、且つ各ユニット挟持体の間は一弾性部品によって結合される。各ユニット挟持体には各々持ち手が設置される。本考案は主に各ユニット挟持体の本体に一切欠部が設置され、且つ持ち手は切欠部に枢設し、持ち手が弾性と挟持を兼ね備えた梃子として使用し、使用しない時には、動かして切欠部に収納し、相対した平らな美観を整えることを最も主要な特徴とする。
【考案の効果】
【０００６】
本考案のヘアークリップは、持ち手は切欠部に枢設し、持ち手が弾性と挟持を兼ね備えた梃子として使用し、且つ使用しない時には動かして切欠部に収納し、美観を整えるという利点がある。
【考案を実施するための最良の形態】
【０００７】
一種のヘアークリップを提供し、これは一組二個対応のユニット挟持体を含み、且つ各ユニット挟持体の間は一弾性部品で結合し、且つ各ユニット挟持体には一持ち手を設置する。本考案は各ユニット挟持体の本体に一切欠部を成形し、更に持ち手は切欠部に枢設し、持ち手が動いて切欠部に収納されたり、開いて挟持したりすることを本考案の主な目的とする。
【０００８】
各ユニット挟持体の本体に一切欠部を設置し、且つ持ち手は切欠部に枢設し、持ち手を動かして切欠部に収納したり、開いて挟持したりする。更にこの持ち手と切欠部は輪郭を形成して対応し、持ち手を収納して上部が平らになることを本考案の次の目的とする。
【０００９】
本考案は、各ユニット挟持体の本体に一切欠部を設置し、且つ持ち手は切欠部に設置し、持ち手を動かして切欠部に収納したり、開いて挟持したりする。また切欠部は一穿孔とし、持ち手を収納する大きな空間であることを本考案の別の目的とする。
【００１０】
本考案は、各ユニット挟持体の本体に一切欠部を設置し、且つ持ち手は切欠部に設置し、持ち手を動かして切欠部に収納したり、開いて挟持したりする。そのうち、切欠部に一軸部材を設置し、且つ持ち手には一対の軸部材に対応する切欠溝を設置し、更に切欠溝の開口内径は軸部材外径よりやや小さく、また切欠溝本体の内径は、軸部材の外径よりやや大きく、軸部材を切欠溝に嵌合し、切欠部と持ち手を簡単に結合することを本考案の更に別の目的とする。
【００１１】
この他、持ち手は一つのＵ字型を形成し、そのＵ字型開口両側には各々軸部材に対応する切欠溝を設置し、その切欠溝の開口内径は軸部材外径よりやや小さく、また切欠溝本体の内径は軸部材の外径よりやや大きく、該軸部材を切欠溝に嵌合し、切欠部と持ち手を簡易に結合することを本考案の別の目的とする。
【００１２】
また美観を兼ね備えた本考案の持ち手は曲線の装飾造形を形成し、且つ切欠部が輪郭の造形を形成する。
【実施例１】
【００１３】
図１及び図２は本考案の実施例１になるヘアークリップを示す。ヘアークリップは、一組二個で対応するユニット挟持体１を含む。各ユニット挟持体１の間は、一つの弾性部品１１と枢設桿１０で結合され、それら各ユニット挟持体１は、円弧形状を形成し、且つ本体は複数の分岐爪１３が設置され、二個のユニット挟持体１の分岐爪１３が交錯し、髪の毛を交錯して掴む。また二個のユニット挟持体１が合わさった時、円筒形を形成する。各ユニット挟持体１の本体には一つの切欠部１２を設置し、そのうちこの切欠部１２は一つの穿孔或いは一つ凹溝である。
【００１４】
一組の持ち手２は、それぞれ切欠部１２と輪郭対応し、且つその持ち手２は、切欠部１２に枢設し、持ち手２が切欠部１２で可動収納されたり、もしくは開いて起こして挟持作用を形成したりする（図３参照）。また、この持ち手２は、図４に示すように曲線の装飾化した造形を具えて美観を高める。更にこの切欠部１２もまた一対で形成する。
【００１５】
図１及び図２に示すのは、本考案の実施例で、そのうちこの切欠部１２には一軸部材１２１Ａが設置され、且つ持ち手２は、一対の軸部材１２１Ａと共に切欠溝２１Ａに対応し、且つ、切欠溝２１Ａの開口内径は、軸部材１２１Ａの外径よりやや小さく、また切欠溝２１Ａ本体の内径は軸部材１２１Ａの外径よりやや大きく、軸部材１２１Ａを切欠溝２１Ａに嵌合し、切欠部１２と持ち手２とが掛合される。
【００１６】
また、持ち手２は一つのＵ字型に成形し、このＵ字型の開口両側が軸部材１２１Ａに対応して各々一つの切欠溝２１Ａを設置する。更にこの切欠溝２１Ａの開口内径は、軸部材１２１Ａ外径よりやや小さく、また切欠溝２１Ａ本体の内径は軸部材１２１Ａの外径よりやや大きく、これらの軸部材１２１Ａを切欠溝２１Ａに嵌合し、切欠部１２と持ち手２を結合する。
【００１７】
更に本考案では、従来のヘアークリップ両側に切欠溝２１Ａ、軸部材１２１Ａ及び持ち手２を設置して別の実施状態（図５参照）を形成する。
【図面の簡単な説明】
【００１８】
【図１】本考案の一実施例になるヘアークリップの立体図である。
【図２】図１のヘアークリップの立体分解図である。
【図３】持ち手を起こした状態を示す立体図である。
【図４】本考案の別実施例になるヘアークリップの立体図である。
【図５】本考案の更に別実施例になるヘアークリップの立体図である。
【符号の説明】
【００１９】
１  ユニット挟持体
１０    枢設桿
１１    弾性部品
１２    切欠部
１２１Ａ  軸部材
１３    分岐爪
２      持ち手
２１Ａ  切欠溝
【図１】
0003133322.tif 000003
【図２】
0003133322.tif 000004
【図３】
0003133322.tif 000005
【図４】
0003133322.tif 000006
【図５】
0003133322.tif 000007